(57)【要約】【課題】画像形成装置において出力された記録紙の取り忘れを減らす。【解決手段】ユーザ登録判断手段９は、記録紙が排紙されてから一定時間の間に取り除かれなかった場合に、出力指示を行ったユーザと取り忘れ回数とを対応付けて取り忘れユーザリスト領域７２に記憶させ、取り忘れユーザリスト領域７２に記憶されているユーザの取り忘れ回数が所定回数に達した場合には、当該ユーザを常習者リスト領域７３に記憶させる。そして、常習者リスト領域７３に記憶されているユーザが出力指示を行った場合には、警告手段１６により、取り忘れ防止を警告する警告メッセージをユーザ端末３０の表示部に表示させる。警告したにもかかわらず、再度取り忘れをしたユーザについては、出力拒否ユーザリスト領域７４に記憶させ、画像形成手段３による画像形成を拒否する。【選択図】図１
2007171254.tif 000002
【特許請求の範囲】
【請求項１】
ユーザからの出力指示に基づいて、記録紙に対して画像形成を行う画像形成手段と、
前記画像形成が行われた記録紙を排紙するための排紙トレイと、
前記記録紙が前記排紙トレイに排紙されてから予め定められた一定時間の間に取り除かれたか否かを検知する取り忘れ検知手段と、
前記記録紙が前記一定時間の間に取り除かれなかった場合に、前記出力指示を行ったユーザと前記記録紙が前記一定時間の間に取り除かれなかった回数を示す取り忘れ回数とを対応付けて取り忘れユーザリスト領域に記憶させ、前記取り忘れユーザリスト領域に記憶されているユーザの取り忘れ回数が予め定められた所定回数に達した場合には、当該ユーザを常習者リスト領域に記憶させる登録手段と、
前記常習者リスト領域に記憶されているユーザが出力指示を行った場合に、取り忘れ防止を警告する警告メッセージを表示させる警告手段と、
を備えたことを特徴とする画像形成装置。
【請求項２】
請求項１に記載の画像形成装置において、
前記警告メッセージを表示させた際の出力指示については、前記画像形成手段による画像形成を許可する出力許可手段を備えたことを特徴とする画像形成装置。
【請求項３】
請求項２に記載の画像形成装置において、
前記警告メッセージを表示させた際の出力指示において、さらに、前記記録紙が前記一定時間の間に取り除かれなかった場合に、前記登録手段は、前記出力指示を行ったユーザを出力拒否ユーザリスト領域に記憶させ、
前記出力拒否ユーザリスト領域に記憶されているユーザが出力指示を行った場合に、前記画像形成手段による画像形成を拒否する出力拒否手段を備えたことを特徴とする画像形成装置。
【請求項４】
請求項３に記載の画像形成装置において、
前記出力拒否ユーザリスト領域に新たなユーザが記憶された場合に、当該ユーザを、当該画像形成装置の管理者の端末に通知する通知手段を備えたことを特徴とする画像形成装置。
【請求項５】
請求項３に記載の画像形成装置において、
当該画像形成装置の管理者に対して、前記出力拒否ユーザリスト領域を閲覧可能とする情報閲覧手段を備えたことを特徴とする画像形成装置。
【請求項６】
請求項３〜５のいずれか一項に記載の画像形成装置において、
前記出力拒否ユーザリスト領域に記憶されているユーザを削除する出力拒否ユーザ削除手段を備えたことを特徴とする画像形成装置。
【請求項７】
請求項１〜６のいずれか一項に記載の画像形成装置において、
前記取り忘れユーザリスト領域に記憶されているユーザ及び取り忘れ回数を削除する取り忘れユーザ削除手段を備えたことを特徴とする画像形成装置。
【請求項８】
請求項１〜７のいずれか一項に記載の画像形成装置において、
前記取り忘れユーザリスト領域に記憶されているユーザが出力指示を行い、前記記録紙が前記一定時間の間に取り除かれた場合に、前記取り忘れユーザリスト領域に記憶されている当該ユーザの取り忘れ回数を１減算して取り忘れ回数とするカウンタ減算手段を備えたことを特徴とする画像形成装置。
【請求項９】
請求項８に記載の画像形成装置において、
前記取り忘れユーザリスト領域に記憶されている取り忘れ回数が０になった場合に、当該取り忘れユーザリスト領域に記憶されている取り忘れ回数と当該取り忘れ回数に対応付けられているユーザとを削除する自動削除手段を備えたことを特徴とする画像形成装置。
【発明の詳細な説明】
【技術分野】
【０００１】
本発明は、複数のユーザが使用する画像形成装置に関する。
【背景技術】
【０００２】
一般に、プリンタ、複写機等の画像形成装置が広く使用されている。会社や学校等では、１台の画像形成装置を複数のユーザが使用する場合が多く、画像形成装置により出力された記録紙が取り忘れられている場合がある。特に、機密文書を出力した場合には、長時間放置されることは好ましくない。
【０００３】
出力後の記録紙が放置されることを防止するために、例えば、受信した印刷データに基づいて印刷を行った後、基準時間以上、排紙受けに記録紙が放置されている場合に、記録紙が放置されている排紙受け、出力装置の設置場所等を示す情報を電子メールで利用者宛に送信する出力装置が提案されている（例えば、特許文献１参照）。
【０００４】
また、出力用紙を取り忘れたユーザを特定するために、ＩＤカードからユーザＩＤを読み取ったり、パスワードを入力したりすることにより、ユーザを特定し、出力用紙にユーザ情報を付加する複写機が提案されている（例えば、特許文献２参照）。
【特許文献１】特開平８−４４２５５号公報
【特許文献２】特開２０００−１０４４１号公報
【発明の開示】
【発明が解決しようとする課題】
【０００５】
しかし、上記従来技術は、記録紙が放置されていることをユーザに通知したり、出力したユーザを特定可能としたりするのみで、記録紙の取り忘れを減らすことは困難であった。
【０００６】
本発明は、画像形成装置において出力された記録紙の取り忘れを減らすことを課題とする。
【課題を解決するための手段】
【０００７】
上記課題を解決するために、請求項１に記載の発明は、ユーザからの出力指示に基づいて、記録紙に対して画像形成を行う画像形成手段と、前記画像形成が行われた記録紙を排紙するための排紙トレイと、前記記録紙が前記排紙トレイに排紙されてから予め定められた一定時間の間に取り除かれたか否かを検知する取り忘れ検知手段と、前記記録紙が前記一定時間の間に取り除かれなかった場合に、前記出力指示を行ったユーザと前記記録紙が前記一定時間の間に取り除かれなかった回数を示す取り忘れ回数とを対応付けて取り忘れユーザリスト領域に記憶させ、前記取り忘れユーザリスト領域に記憶されているユーザの取り忘れ回数が予め定められた所定回数に達した場合には、当該ユーザを常習者リスト領域に記憶させる登録手段と、前記常習者リスト領域に記憶されているユーザが出力指示を行った場合に、取り忘れ防止を警告する警告メッセージを表示させる警告手段と、を備えたことを特徴とする画像形成装置である。
【０００８】
請求項２に記載の発明は、請求項１に記載の画像形成装置において、前記警告メッセージを表示させた際の出力指示については、前記画像形成手段による画像形成を許可する出力許可手段を備えたことを特徴とする。
【０００９】
請求項３に記載の発明は、請求項２に記載の画像形成装置において、前記警告メッセージを表示させた際の出力指示において、さらに、前記記録紙が前記一定時間の間に取り除かれなかった場合に、前記登録手段は、前記出力指示を行ったユーザを出力拒否ユーザリスト領域に記憶させ、前記出力拒否ユーザリスト領域に記憶されているユーザが出力指示を行った場合に、前記画像形成手段による画像形成を拒否する出力拒否手段を備えたことを特徴とする。
【００１０】
請求項４に記載の発明は、請求項３に記載の画像形成装置において、前記出力拒否ユーザリスト領域に新たなユーザが記憶された場合に、当該ユーザを、当該画像形成装置の管理者の端末に通知する通知手段を備えたことを特徴とする。
【００１１】
請求項５に記載の発明は、請求項３に記載の画像形成装置において、当該画像形成装置の管理者に対して、前記出力拒否ユーザリスト領域を閲覧可能とする情報閲覧手段を備えたことを特徴とする。
【００１２】
請求項６に記載の発明は、請求項３〜５のいずれか一項に記載の画像形成装置において、前記出力拒否ユーザリスト領域に記憶されているユーザを削除する出力拒否ユーザ削除手段を備えたことを特徴とする。
【００１３】
請求項７に記載の発明は、請求項１〜６のいずれか一項に記載の画像形成装置において、前記取り忘れユーザリスト領域に記憶されているユーザ及び取り忘れ回数を削除する取り忘れユーザ削除手段を備えたことを特徴とする。
【００１４】
請求項８に記載の発明は、請求項１〜７のいずれか一項に記載の画像形成装置において、前記取り忘れユーザリスト領域に記憶されているユーザが出力指示を行い、前記記録紙が前記一定時間の間に取り除かれた場合に、前記取り忘れユーザリスト領域に記憶されている当該ユーザの取り忘れ回数を１減算して取り忘れ回数とするカウンタ減算手段を備えたことを特徴とする。
【００１５】
請求項９に記載の発明は、請求項８に記載の画像形成装置において、前記取り忘れユーザリスト領域に記憶されている取り忘れ回数が０になった場合に、当該取り忘れユーザリスト領域に記憶されている取り忘れ回数と当該取り忘れ回数に対応付けられているユーザとを削除する自動削除手段を備えたことを特徴とする。
【発明の効果】
【００１６】
請求項１に記載の発明によれば、記録紙を取り忘れやすいユーザに記録紙を取り除くことを促すことができ、記録紙の取り忘れを減らすことができる。
【００１７】
請求項２に記載の発明によれば、記録紙を取り忘れやすいユーザに記録紙を取り除くことを促すことができる。
【００１８】
請求項３に記載の発明によれば、警告を無視し、改善の余地がないユーザに対しては、出力を拒否することができる。また、無駄な出力を行わなくてすむという効果がある。
【００１９】
請求項４に記載の発明によれば、出力拒否ユーザリスト領域に記憶されたユーザを管理者が認識することができる。
【００２０】
請求項５に記載の発明によれば、出力拒否ユーザリスト領域に記憶されたユーザを管理者が認識することができる。
【００２１】
請求項６に記載の発明によれば、出力拒否ユーザリスト領域に記憶されたユーザに対して、再び画像形成装置を使用可能とすることができる。
【００２２】
請求項７に記載の発明によれば、ユーザが記録紙を取り忘れたという履歴を削除することができる。
【００２３】
請求項８、９に記載の発明によれば、記録紙を一定時間の間に取り除いたというユーザの努力を反映させることができる。
【発明を実施するための最良の形態】
【００２４】
以下、図面を参照して、本発明を実施するための最良の形態を詳細に説明する。
図１は、本発明の実施の形態における画像形成装置１の機能的構成を示すブロック図である。画像形成装置１は、ネットワークを介してユーザ端末３０及び管理者端末４０と接続されている。画像形成装置１は、ユーザ端末３０から受信した画像データに基づいて画像形成を行うプリンタ機能と、原稿を読み取って画像形成を行う複写機能と、を有する複合機である。
【００２５】
図１に示すように、画像形成装置１は、プリント制御手段２、画像形成手段３、排紙トレイ４、時間計測手段５、取り忘れ検知手段６、記憶手段７、排紙トレイ判断手段８、ユーザ登録判断手段９、カウンタ加算／減算手段１０、画像読取手段１１、入力手段１２、表示手段１３、ユーザ認識手段１４、出力判断手段１５、警告手段１６、管理者アクセス手段１７、情報アクセス手段１８、情報閲覧手段１９、通知手段２０等を備える。
【００２６】
プリント制御手段２は、ユーザ端末３０から受信した画像データ、又は画像読取手段１１により読み取られた画像データに基づいて、画像形成手段３を制御する。また、プリント制御手段２は、画像形成手段３において画像形成が終了し、記録紙が排紙トレイ４に排紙された場合に、時間計測手段５に計測開始信号を出力する。また、プリント制御手段２は、ユーザにより排紙先のトレイが指定されている場合には、指定されたトレイを示す指定トレイ情報を排紙トレイ判断手段８に出力する。
【００２７】
画像形成手段３は、プリント制御手段２の制御に従って、記録紙に対して画像形成を行い、排紙トレイ４に記録紙を排紙する。具体的には、画像形成手段３は、画像データに基づいて露光部から発せられるレーザビームにより感光ドラムを露光走査し、静電潜像を形成する。次いで、現像部によりトナーを感光ドラムに吸着させ、転写部においてトナーを記録紙に転写する。そして、定着部において記録紙にトナーを熱定着させることにより画像を形成する。
【００２８】
排紙トレイ４は、トレイ毎にそれぞれ取り除きセンサ４１を備える。取り除きセンサ４１は、出力された記録紙が取り除かれた場合に、記録紙が取り除かれたことを示す取り除き情報と、記録紙が取り除かれたトレイを示す取り除きトレイ情報と、を取り忘れ検知手段６に出力する。
【００２９】
時間計測手段５は、プリント制御手段２からの計測開始信号に基づいて、記録紙が排紙された排紙トレイ４のトレイ毎に、記録紙が排紙されてからの時間を計測する。
【００３０】
取り忘れ検知手段６は、取り除きセンサ４１から出力される取り除き情報及び取り除きトレイ情報と、時間計測手段５により計測された時間に基づいて、記録紙が排紙トレイ４に排紙されてから予め定められた一定時間（例えば、１０分等）の間に取り除かれたか否かを検知する。具体的には、取り忘れ検知手段６は、時間計測手段５により計測される時間が一定時間になる前に、取り除きセンサ４１から取り除き情報及び取り除きトレイ情報が出力された場合には、一定時間の間に記録紙が取り除かれたことを示す情報と、取り除きトレイ情報と、をユーザ登録判断手段９に出力する。一方、取り除きセンサ４１から取り除き情報及び取り除きトレイ情報が出力される前に、時間計測手段５により計測される時間が一定時間に達した場合には、一定時間の間に記録紙が取り除かれなかったこと、すなわち、取り忘れられたことを示す情報と、時間計測対象のトレイを示すトレイ情報と、をユーザ登録判断手段９に出力する。
【００３１】
記憶手段７は、磁気的記憶媒体、光学的記憶媒体又は半導体メモリ等で構成されており、各種データが記憶されている。記憶手段７は、出力ユーザリスト領域７１、取り忘れユーザリスト領域７２、常習者リスト領域７３、出力拒否ユーザリスト領域７４を有する。
【００３２】
出力ユーザリスト領域７１には、出力指示を行ったユーザを示す出力ユーザ情報と、記録紙が排紙されるトレイを示す排紙トレイ情報と、が対応付けられて記憶される。
【００３３】
取り忘れユーザリスト領域７２には、記録紙が排紙トレイ４に排紙されてから一定時間の間に取り除かなかったユーザ、すなわち、記録紙を取り忘れたユーザを示すユーザ情報と取り忘れ回数を示す取り忘れカウンタとが対応付けられて記憶される。
【００３４】
常習者リスト領域７３には、予め定められた所定回数（例えば、５回等）、記録紙が排紙トレイ４に排紙されてから一定時間の間に取り除かなかったユーザを示すユーザ情報が記憶される。
【００３５】
出力拒否ユーザリスト領域７４には、常習者リスト領域７３に記憶されているユーザが出力指示を行い、記録紙が排紙トレイ４に排紙されてから一定時間の間に記録紙を取り除かなかった場合に、このユーザを示すユーザ情報が記憶される。
【００３６】
排紙トレイ判断手段８は、ユーザにより排紙先のトレイが指定されている場合には、指定トレイ情報に基づいて排紙トレイ４を判断し、ユーザにより排紙先のトレイが指定されていない場合には、予め定められた判断基準により自動的に排紙トレイ４を判断する。そして、排紙トレイ判断手段８は、出力ユーザリスト領域７１に、出力ユーザ情報と排紙トレイ情報とを登録する。
【００３７】
ユーザ登録判断手段９は、記録紙が排紙されてから一定時間の間に取り除かれなかった場合、すなわち、取り忘れ検知手段６により、取り忘れられたことを示す情報と、時間計測対象のトレイを示すトレイ情報と、が出力された場合には、出力ユーザリスト領域７１から当該トレイ情報と一致する排紙トレイ情報に対応する出力ユーザ情報を読み出し、取り忘れユーザとして取り忘れユーザリスト領域７２に記憶させ（取り忘れユーザの登録）、カウンタ加算／減算手段１０により、そのユーザ情報に対応付けられている取り忘れカウンタを１加算して記憶させる。
【００３８】
また、ユーザ登録判断手段９は、取り忘れユーザリスト領域７２に記憶されているユーザの取り忘れカウンタが予め定められた所定回数に達した場合には、当該ユーザを常習者として常習者リスト領域７３に記憶させる（常習者の登録）。
【００３９】
また、ユーザ登録判断手段９は、常習者リスト領域７３に記憶されているユーザが出力指示を行い、排紙された記録紙が一定時間の間に取り除かれなかった場合に、当該ユーザを出力拒否ユーザとして出力拒否ユーザリスト領域７４に記憶させる（出力拒否ユーザの登録）。
【００４０】
カウンタ加算／減算手段１０は、取り忘れユーザリスト領域７２の取り忘れカウンタの加算／減算を行う。カウンタ加算／減算手段１０は、取り忘れユーザリスト領域７２に記憶されているユーザが出力指示を行い、記録紙が一定時間の間に取り除かれた場合には、当該ユーザの取り忘れカウンタを１減算する。
【００４１】
ユーザ登録判断手段９は、取り忘れユーザリスト領域７２に記憶されている取り忘れカウンタが０になった場合に、取り忘れユーザリスト領域７２に記憶されている取り忘れカウンタと当該取り忘れカウンタに対応付けられているユーザ情報とを自動的に削除する。
【００４２】
また、ユーザ登録判断手段９は、常習者リスト領域７３に記憶されているユーザについて、取り忘れユーザリスト領域７２に記憶されている取り忘れカウンタが予め定められている所定回数未満になった場合に、常習者リスト領域７３に記憶されているユーザ情報を自動的に削除する。
【００４３】
画像読取手段１１は、原稿載置台に載置された原稿を画像データとして読み取る機能部である。具体的には、原稿載置台に載置された原稿をコンタクトガラスに搬送した後、光源から照射され原稿で反射した反射光を、ミラーユニットと、結像レンズとを介してＣＣＤ（Charge Coupled Device）イメージセンサに入射して画像データとして読み取る。
【００４４】
入力手段１２は、数字キーやスタートキー、リセットキー等の各種キーを備える。また、入力手段１２は、表示手段１３と一体的に形成され、ユーザの指先やタッチペン等により当接された位置を検出するタッチパネルを備えていてもよい。
【００４５】
表示手段１３は、ＬＣＤ（Liquid Crystal Display）等により構成され、各種画面を表示する。
【００４６】
ユーザ認識手段１４は、ユーザ端末３０から受信した出力指示に基づいて、出力指示を行ったユーザを認識し、ユーザ情報を出力判断手段１５に出力する。また、画像形成装置１を複写機として使用する際には、ユーザ認識手段１４は、入力手段１２から入力されたユーザＩＤ又はパスワード等により、ユーザを認識する。
【００４７】
出力判断手段１５は、常習者リスト領域７３に記憶されているユーザが出力指示を行った場合には、警告手段１６に、取り忘れ防止を警告する警告メッセージを表示させるための指示を出力する。また、出力判断手段１５は、警告メッセージを表示させた際の出力指示については、画像形成手段３による画像形成を許可する出力許可指示をプリント制御手段２に出力する。
【００４８】
また、出力判断手段１５は、出力拒否ユーザリスト領域７４に記憶されているユーザが出力指示を行った場合には、警告手段１６に、出力拒否を通知する出力拒否メッセージを表示させるための指示を出力し、画像形成手段３による画像形成を拒否する出力拒否指示をプリント制御手段２に出力する。
【００４９】
また、出力判断手段１５は、ユーザ認識手段１４から取得したユーザ情報を排紙トレイ判断手段８に出力する。
【００５０】
警告手段１６は、常習者リスト領域７３に記憶されているユーザがユーザ端末３０から出力指示を行った場合には、取り忘れ防止を警告する警告メッセージをユーザ端末３０に送信し、表示させる。また、警告手段１６は、常習者リスト領域７３に記憶されているユーザが入力手段１２から出力指示を行った場合には、取り忘れ防止を警告する警告メッセージを表示手段１３に表示させる。
【００５１】
また、警告手段１６は、出力拒否ユーザリスト領域７４に記憶されているユーザがユーザ端末３０から出力指示を行った場合には、出力拒否を通知する出力拒否メッセージをユーザ端末３０に送信し、表示させる。また、警告手段１６は、出力拒否ユーザリスト領域７４に記憶されているユーザが入力手段１２から出力指示を行った場合には、出力拒否を通知する出力拒否メッセージを表示手段１３に表示させる。
【００５２】
管理者アクセス手段１７は、管理者端末４０との通信を制御する機能部である。
【００５３】
情報アクセス手段１８は、管理者端末４０から、取り忘れユーザリスト領域７２に記憶されているユーザ情報及び／又は取り忘れカウンタ、常習者リスト領域７３又は出力拒否ユーザリスト領域７４に記憶されているユーザ情報の削除要求が行われた場合に、該当する情報を削除する。
【００５４】
情報閲覧手段１９は、管理者により管理者端末４０から、取り忘れユーザリスト領域７２、常習者リスト領域７３又は出力拒否ユーザリスト領域７４の閲覧要求が行われた場合に、該当する情報（ユーザ名一覧等）を管理者端末４０に送信し、閲覧可能とする。
【００５５】
通知手段２０は、出力拒否ユーザリスト領域７４に新たなユーザが登録された場合に、当該ユーザ情報を管理者端末４０に通知する。取り忘れユーザリスト領域７２又は常習者リスト領域７３に新たなユーザが登録された場合においても、ユーザ情報を管理者端末４０に通知することとしてもよい。
【００５６】
なお、画像形成装置１は、ＣＰＵ（Central Processing Unit）、ＲＯＭ（Read Only Memory）、ＲＡＭ（Random Access Memory）等を備えており、ＣＰＵは、ＲＯＭに格納されたプログラムを読み出し、ＲＡＭ内のワークエリアに展開し、上記プログラムとの協働によって各種処理を実行する。図１に示すプリント制御手段２、取り忘れ検知手段６、排紙トレイ判断手段８、ユーザ登録判断手段９、カウンタ加算／減算手段１０、ユーザ認識手段１４、出力判断手段１５、警告手段１６、管理者アクセス手段１７、情報アクセス手段１８、情報閲覧手段１９、通知手段２０は、それぞれ、ＣＰＵとプログラムとの協働によってソフトウェア処理で実現される。
【００５７】
ユーザ端末３０は、ＰＣ（Personal Computer）やＰＤＡ（Personal Digital Assistants）等であり、ネットワークを介して画像形成装置１と接続されている。ユーザ端末３０は、各ユーザが画像形成装置１に出力指示を送信する際に使用される。
【００５８】
管理者端末４０は、ネットワークを介して画像形成装置１と接続されているＰＣ等である。管理者端末４０は、画像形成装置１の管理者が画像形成装置１を管理する際に使用される。
【００５９】
次に、画像形成装置１の動作を説明する。
図２は、画像形成装置１により実行される取り忘れ処理を示すフローチャートである。取り忘れ処理は、取り忘れ検知手段６により、記録紙が排紙トレイ４に排紙されてから一定時間の間に取り除かれなかったことが検知された場合に、実行される処理である。
【００６０】
まず、ユーザ登録判断手段９により、出力ユーザリスト領域７１から出力ユーザ情報が取得され（ステップＳ１）、この出力指示を行ったユーザが常習者リスト領域７３に登録されているか否かが判断される（ステップＳ２）。
【００６１】
出力指示を行ったユーザが常習者リスト領域７３に登録されていない場合には（ステップＳ２；Ｎｏ）、ユーザ登録判断手段９により、出力指示を行ったユーザが取り忘れユーザリスト領域７２に登録されているか否かが判断される（ステップＳ３）。
【００６２】
出力指示を行ったユーザが取り忘れユーザリスト領域７２に登録されていない場合には（ステップＳ３；Ｎｏ）、ユーザ登録判断手段９により、出力指示を行ったユーザが取り忘れユーザリスト領域７２へ登録され（ステップＳ４）、カウンタ加算／減算手段１０により、このユーザ情報に対応する取り忘れカウンタが１加算される（ステップＳ５）。
【００６３】
ステップＳ３において出力指示を行ったユーザが取り忘れユーザリスト領域７２に登録されている場合には（ステップＳ３；Ｙｅｓ）、カウンタ加算／減算手段１０により、このユーザ情報に対応する取り忘れカウンタが１加算される（ステップＳ５）。
【００６４】
ここで、ユーザ登録判断手段９により、取り忘れカウンタが所定回数に到達したか否かが判断され（ステップＳ６）、取り忘れカウンタが所定回数に到達した場合には（ステップＳ６；Ｙｅｓ）、このユーザは常習者リスト領域７３へ登録される（ステップＳ７）。
【００６５】
ステップＳ６において、取り忘れカウンタが所定回数に到達していない場合には（ステップＳ６；Ｎｏ）、そのまま取り忘れ処理が終了する。
【００６６】
ステップＳ２において、出力指示を行ったユーザが常習者リスト領域７３に登録されている場合には（ステップＳ２；Ｙｅｓ）、ユーザ登録判断手段９により、出力指示を行ったユーザが出力拒否ユーザリスト領域７４へ登録される（ステップＳ８）。
【００６７】
そして、通知手段２０により、出力拒否ユーザリスト領域７４に新たに登録されたユーザが管理者端末４０に通知される（ステップＳ９）。また、管理者端末４０から閲覧要求が行われた場合には、情報閲覧手段１９により、管理者に対して、出力拒否ユーザリスト領域７４が閲覧可能に開示される。
以上で、取り忘れ処理が終了する。
【００６８】
次に、図３を参照して、出力判断処理を説明する。出力判断処理は、ユーザ端末３０から出力指示が受信された場合に実行される処理である。
【００６９】
まず、出力判断手段１５により、ユーザ認識手段１４から、出力指示を行ったユーザを示すユーザ情報が取得され（ステップＳ１１）、このユーザが出力拒否ユーザリスト領域７４に登録されているか否かが判断される（ステップＳ１２）。
【００７０】
出力指示を行ったユーザが出力拒否ユーザリスト領域７４に登録されていない場合には（ステップＳ１２；Ｎｏ）、出力判断手段１５により、このユーザが常習者リスト領域７３に登録されているか否かが判断される（ステップＳ１３）。
【００７１】
出力指示を行ったユーザが常習者リスト領域７３に登録されている場合には（ステップＳ１３；Ｙｅｓ）、警告手段１６により、取り忘れ防止を警告する警告メッセージがユーザ端末３０に送信され、ユーザ端末３０の表示部に警告メッセージが表示される（ステップＳ１４）。ステップＳ１４の後、又は、出力指示を行ったユーザが常習者リスト領域７３に登録されていない場合には（ステップＳ１３；Ｎｏ）、出力判断手段１５により、プリント制御手段２に出力許可指示が出力され、画像形成手段３により画像形成が行われる（ステップＳ１５）。
【００７２】
一方、ステップＳ１２において、出力指示を行ったユーザが出力拒否ユーザリスト領域７４に登録されている場合には（ステップＳ１２；Ｙｅｓ）、警告手段１６により、出力拒否を示す出力拒否メッセージがユーザ端末３０に送信され、ユーザ端末３０の表示部に出力拒否メッセージが表示される（ステップＳ１６）。そして、出力判断手段１５により、プリント制御手段２に出力拒否指示が出力され、画像形成手段３による画像形成がキャンセルされる（ステップＳ１７）。
以上で、出力判断処理が終了する。
【００７３】
ここでは、ユーザ端末３０から出力指示が受信された場合について説明したが、入力手段１２から出力指示が入力された場合についても同様である。その場合には、警告メッセージ又は出力拒否メッセージがユーザ端末３０ではなく、画像形成装置１の表示手段１３に表示される。
【００７４】
次に、図４を参照して、通常取り除き処理を説明する。通常取り除き処理は、取り忘れ検知手段６により、記録紙が排紙トレイ４に排紙されてから一定時間の間に取り除かれたことが検知された場合に、実行される処理である。
【００７５】
まず、取り忘れ検知手段６により、記録紙が排紙トレイ４に排紙されてから一定時間の間に取り除かれたことが検知されたことをきっかけとして、ユーザ登録判断手段９により、時間計測手段５のタイマーのクリアが行われる（ステップＳ２１）。次に、ユーザ登録判断手段９により、取り忘れ検知手段６から取り除きトレイ情報が取得され（ステップＳ２２）、出力ユーザリスト領域７１から出力ユーザ情報が取得される（ステップＳ２３）。
【００７６】
次に、出力指示を行ったユーザが取り忘れユーザリスト領域７２に登録されている場合には（ステップＳ２４；Ｙｅｓ）、カウンタ加算／減算手段１０により、このユーザに対応する取り忘れカウンタが１減算される（ステップＳ２５）。ここで、取り忘れカウンタが０となった場合には（ステップＳ２６；Ｙｅｓ）、取り忘れユーザリスト領域７２に登録されているこのユーザ情報が削除され、取り忘れカウンタのクリアが行われる（ステップＳ２７）。
【００７７】
ステップＳ２６において、取り忘れカウンタが０でない場合には（ステップＳ２６；Ｎｏ）、取り忘れカウンタがその状態で保存される（ステップＳ２８）。
以上で、通常取り除き処理が終了する。
【００７８】
ステップＳ２４において、出力指示を行ったユーザが取り忘れユーザリスト領域７２に登録されていない場合には（ステップＳ２４；Ｎｏ）、そのまま通常取り除き処理が終了する。
【００７９】
以上説明したように、画像形成装置１によれば、所定回数以上取り忘れをしたユーザ（常習者リスト領域７３の登録ユーザ）が出力指示を行った場合に、ユーザ端末３０又は表示手段１３に警告メッセージを表示させるので、記録紙を取り忘れやすいユーザに記録紙を取り除くことを促すことができ、記録紙の取り忘れを減らすことができる。
【００８０】
また、警告を無視し、改善の余地がないユーザ（出力拒否ユーザリスト領域７４の登録ユーザ）に対しては、出力を拒否することができる。出力拒否ユーザリスト領域７４に登録されているユーザは、再び記録紙を放置する可能性が高いため、出力を拒否することにより、無駄な出力を行わなくてすむ。
【００８１】
また、出力拒否ユーザリスト領域７４に新たなユーザが記憶された場合に、当該ユーザを管理者端末４０に通知したり、管理者から出力拒否ユーザリスト領域７４を閲覧可能としたりするので、出力拒否ユーザリスト領域７４に記憶されたユーザを管理者が認識することができる。
【００８２】
また、取り忘れユーザリスト領域７２に記憶されているユーザが出力指示を行い、記録紙が一定時間の間に取り除かれた場合に、当該ユーザの取り忘れカウンタを１減算するので、記録紙を一定時間の間に取り除いたというユーザの努力を反映させることができる。
【００８３】
また、管理者端末４０からの指示により、出力拒否ユーザリスト領域７４に記憶されているユーザを削除することができるので、出力拒否ユーザリスト領域７４に記憶されたユーザに対して、再び画像形成装置１を使用可能とすることができる。また、管理者端末４０からの指示により、取り忘れユーザリスト領域７２に記憶されているユーザ及び取り忘れカウンタを削除することができるので、ユーザが記録紙を取り忘れたという履歴を削除することができる。
【００８４】
なお、上記実施の形態における記述は、本発明に係る画像形成装置の例であり、これに限定されるものではない。画像形成装置を構成する各部の細部構成及び細部動作に関しても本発明の趣旨を逸脱することのない範囲で適宜変更可能である。
【００８５】
例えば、丸秘スタンプ、極秘スタンプ等を付した記録紙を出力する場合のみを対象として、記録紙の取り忘れを検知することとしてもよい。機密文書は、一般の文書よりも放置されたときの危険性が高いため、取り忘れを防ぐ必要がある。
【００８６】
また、出力枚数が多い方が、出力後の記録紙が放置された場合に、より迷惑となるため、予め定められた枚数以上（例えば、５ページ以上）出力する場合のみを対象として、記録紙の取り忘れを検知することとしてもよい。
【図面の簡単な説明】
【００８７】
【図１】本発明の実施の形態における画像形成装置１の機能的構成を示すブロック図である。
【図２】取り忘れ処理を示すフローチャートである。
【図３】出力判断処理を示すフローチャートである。
【図４】通常取り除き処理を示すフローチャートである。
【符号の説明】
【００８８】
１  画像形成装置
２  プリント制御手段
３  画像形成手段
４  排紙トレイ
４１  取り除きセンサ
５  時間計測手段
６  取り忘れ検知手段
７  記憶手段
７１  出力ユーザリスト領域
７２  取り忘れユーザリスト領域
７３  常習者リスト領域
７４  出力拒否ユーザリスト領域
８  排紙トレイ判断手段
９  ユーザ登録判断手段（登録手段、自動削除手段）
１０  カウンタ加算／減算手段
１１  画像読取手段
１２  入力手段
１３  表示手段
１４  ユーザ認識手段
１５  出力判断手段（出力許可手段、出力拒否手段）
１６  警告手段
１７  管理者アクセス手段
１８  情報アクセス手段（出力拒否ユーザ削除手段、取り忘れユーザ削除手段）
１９  情報閲覧手段
２０  通知手段
３０  ユーザ端末
４０  管理者端末
【図１】
2007171254.tif 000003
【図２】
2007171254.tif 000004
【図３】
2007171254.tif 000005
【図４】
2007171254.tif 000006